(57)【特許請求の範囲】
【請求項１】
一対のクリップ片と合成樹脂製の略Ｕ字形のばねとを備えたクリップをハンガー本体に少なくとも２個設けた被服用ハンガーであって、各クリップ片は、上方にクリップ片を操作する操作部と、中間にばねの端部と係合する係合部と、下方に被服を挟持する挟持部と、両側縁に枢支軸に当接して挟持部を開閉させる当接片とを備えており、係合部にばねの端部を係合させてばねの弾性力により一対のクリップ片の挟持部同士が押圧付勢するようしたクリップをハンガー本体に設けた被服用ハンガーにおいて、ハンガー本体はアームの左右方向中間に吊持用フックを設けるとともに、アームの左右上方にアームと平行でアームと間隙を持つ係止棹をその一端をアームに一体に固定して形成し、各クリップ片の内面に係止棹と係合する係止部を形成して、クリップをハンガー本体のアーム及び係止棹に支持させたことを特徴とする被服用ハンガー。
【請求項２】
各クリップ片は、両側縁に枢支軸としての係止棹の周面に当接してクリップ片の挟持部を開閉させる当接片をばねとの間に隙間を設けた状態で、形成するとともに、ばねと当接片との間の左右いずれか一方の隙間に係止棹と係合する係止部を形成して、クリップをハンガー本体のアーム及び係止棹に支持させたことを特徴とする請求項１に記載の被服用ハンガー。
【請求項３】
各クリップ片は、両側縁に枢支軸としてのアームの周面に当接してクリップ片の挟持部を開閉させる当接片を形成するとともに、垂直中心から外れた内面に係止棹と係合する係止部を形成して、クリップをハンガー本体のアーム及び係止棹に支持させたことを特徴とする請求項１に記載の被服用ハンガー。
【請求項４】
係止棹はクリップの位置がハンガー本体の予め定めた範囲で調節できる水平方向長さとしたことを特徴とする請求項１〜３のいずれかに記載の被服用ハンガー。
【請求項５】
係止棹はハンガー本体の端部に一体に固定するとともに、ハンガー本体の中心に向けて水平に形成したことを特徴とする請求項１〜４のいずれかに記載の被服用ハンガー。
【発明の詳細な説明】
【技術分野】
【０００１】
本発明は、被服用ハンガーに係り、特に合成樹脂製のばねが折れたときに、その衝撃でクリップ片が飛散することを防止できる被服用ハンガーの構成に関するものである。
【背景技術】
【０００２】
従来、図１０〜図１２に示す被服用ハンガーが知られている（例えば、特許文献１参照）。図１０は正面図、図１１はクリップ片の正面図、図１２は図１０のクリップを設けた位置での縦断面図である。
図１０〜図１２において、被服用ハンガーＨは、合成樹脂製の一体成形されたハンガー本体Ｈ１と、このハンガー本体Ｈ１のアームＨ２に摺動可能に支持した２個のクリップＰとで構成されている。
【０００３】
ハンガー本体Ｈ１は、中央部に吊持用フックＨ３を、両側に略水平に伸びるアームＨ２を一体に形成している。
アームＨ２に摺動可能に支持されたクリップＰは、２個の合成樹脂製のクリップ片Ｐ１と１個の合成樹脂製の略Ｕ字形のばねＰ２とからなり、同じ形状のクリップ片Ｐ１を互いに対向させ、これを略Ｕ字形のばねＰ２の弾性力によりアームＨ２に組み付けている。
【０００４】
クリップ片Ｐ１は、上方にクリップ片Ｐ１を操作する操作部Ｐ３と、中間にばねＰ２の端部と係合する係合部Ｐ４と、下方に被服を挟持する挟持部Ｐ５とを備えている。
被服用ハンガーＨがハンガー本体Ｈ１、クリップ片Ｐ１及びクリップＰに使用するばねＰ２を全て合成樹脂製としているのは、被服をハンガー本体Ｈ１に設けたクリップＰで挟持した状態で納品する際に、被服に針が残留していないかどうかを金属探知機で検査する必要があり、この検査時に被服用ハンガーＨ自体が金属探知機に反応しないためである。
【０００５】
そして、クリップ片Ｐ１は、成形用金型で製作する際に金型の型抜き用の開口部Ｐ６を形成するとともに、金型の型抜きに支障のないように開口部Ｐ６の中央に縦方向に細長いばねＰ２の飛散防止片Ｐ７を形成している。
クリップ片Ｐ１に飛散防止片Ｐ７を設けているのは、クリップＰの繰り返し使用時に、合成樹脂製のばねＰ２が折り返し部分等で折れて飛散し、その折れて飛散する合成樹脂製のばねＰ２の破片で手や顔等を傷つけることを防止するために、ばねＰ２の破片がクリップ片Ｐ１から周囲に飛散しないようにするためである。
【特許文献１】特開２０００−４１８２５号公報
【発明の開示】
【発明が解決しようとする課題】
【０００６】
従来の合成樹脂製のクリップＰでは、合成樹脂製のばねＰ２が折れた場合、その破片等が開口部Ｐ６から周囲に飛散することは防止することができるが、合成樹脂製のばねＰ２の弾性力により一対のクリップ片Ｐ１をハンガー本体Ｈ１のアームＨ２に組み付けている状態であるから、ばねＰ２が折れてしまうと、クリップ片Ｐ１がアームＨ２から分離して、ばねＰ２が折れた衝撃で、このクリップ片Ｐ１やこれとともにばねＰ２の破片が周囲に飛散してしまうという問題があり、安全性が充分に高いものとはいえないという問題があった。
【０００７】
本発明は、従来の被服用ハンガーが有していた問題を解決しようとするものであり、ハンガー本体のアームに一体に係止棹を形成し、各クリップ片の内面に係止棹と係合する係止部を形成してクリップをハンガー本体のアーム及び係止棹に支持させることにより、ばねが折損したときに、クリップ片およびばねの破片がハンガー本体から飛散することを防止することを目的としている。
【課題を解決するための手段】
【０００８】
請求項１に係る本発明は、一対のクリップ片と合成樹脂製の略Ｕ字形のばねとを備えたクリップをハンガー本体に少なくとも２個設けた被服用ハンガーであって、各クリップ片は、上方にクリップ片を操作する操作部と、中間にばねの端部と係合する係合部と、下方に被服を挟持する挟持部と、両側縁に枢支軸に当接して挟持部を開閉させる当接片とを備えており、係合部にばねの端部を係合させてばねの弾性力により一対のクリップ片の挟持部同士が押圧付勢するようしたクリップをハンガー本体に設けた被服用ハンガーにおいて、ハンガー本体はアームの左右方向中間に吊持用フックを設けるとともに、アームの左右上方にアームと平行でアームと間隙を持つ係止棹をその一端をアームに一体に固定して形成し、各クリップ片の内面に係止棹と係合する係止部を形成して、クリップをハンガー本体のアーム及び係止棹に支持させた被服用ハンガーである。
【０００９】
請求項２に係る本発明は、請求項１に係る本発明の構成に加え、各クリップ片は、両側縁に枢支軸としての係止棹の周面に当接してクリップ片の挟持部を開閉させる当接片をばねとの間に隙間を設けた状態で、形成するとともに、バネと当接片との間の左右いずれか一方の隙間に係止棹と係合する係止部を形成して、クリップをハンガー本体のアーム及び係止棹に支持させた被服用ハンガーである。
【００１０】
請求項３に係る本発明は、請求項１に係る本発明の構成に加え、各クリップ片は、両側縁に枢支軸としてのアームの周面に当接してクリップ片の挟持部を開閉させる当接片を形成するとともに、垂直中心から外れた内面に係止棹と係合する係止部を形成して、クリップをハンガー本体のアーム及び係止棹に支持させた被服用ハンガーである。
【００１１】
請求項４に係る本発明は、請求項１〜３のいずれかに係る本発明の構成に加え、係止棹はクリップの位置がハンガー本体の予め定めた範囲で調節できる水平方向長さとした被服用ハンガーである。
【００１２】
請求項５に係る本発明は、請求項１〜４のいずれかに係る本発明の構成に加え、係止棹はハンガー本体の端部に一体に固定するとともに、ハンガー本体の中心に向けて水平に形成した被服用ハンガーである。
【００１３】
本発明による作用を以下に説明する。
請求項１に係る本発明の作用は、アームの左右上方にアームと平行でアームと間隙を持つ係止棹をその一端をアームに一体に固定して形成し、各クリップ片の内面に係止棹と係合する係止部を形成して、クリップをハンガー本体のアーム及び係止棹に支持させた被服用ハンガーであるから、被服の重量をハンガー本体のアーム及び係止棹で受け、仮にばねが折損した場合でも、クリップ片を係止棹で係止することができる。
【００１４】
請求項２に係る本発明の作用は、各クリップ片は、両側縁に枢支軸としての係止棹の周面に当接してクリップ片の挟持部を開閉させる当接片をばねとの間に隙間を設けた状態で、形成するとともに、バネと当接片との間の左右いずれか一方の隙間に係止棹と係合する係止部を形成して、クリップをハンガー本体のアーム及び係止棹に支持させた被服用ハンガーであるであるから、請求項１に係る本発明の作用と同様な作用を奏する。
【００１５】
請求項３に係る本発明の作用は、請求項１に係る本発明の作用に加え、各クリップ片は、両側縁に枢支軸としてのアームの周面に当接してクリップ片の挟持部を開閉させる当接片を形成するとともに、垂直中心から外れた内面に係止棹と係合する係止部を形成して、クリップをハンガー本体のアーム及び係止棹に支持させた被服用ハンガーであるから、被服の重量は主としてハンガー本体のアームで受け、補助的に係止棹で受けることができる。
【００１６】
請求項４に係る本発明の作用は、請求項１〜３のいずれかに係る本発明の作用に加え、係止棹はクリップの位置がハンガー本体の予め定めた範囲で調節できる水平方向長さとした被服用ハンガーであるから、被服の大きさに応じてクリップの位置を調節することができる。
【００１７】
請求項５に係る本発明の作用は、請求項１〜４のいずれかに係る本発明の作用に加え、係止棹はハンガー本体の端部に一体に固定するとともに、ハンガー本体の中心に向けて水平に形成した被服用ハンガーであるから、クリップをハンガー本体に設ける際に、クリップを係止棹の自由端よりも内側におけるハンガー本体に位置させてハンガー本体の端部側に移動させることにより、クリップをハンガー本体のアーム及び係止棹に支持させることができる。
【発明の効果】
【００１８】
請求項１に係る本発明は、一対のクリップ片と合成樹脂製の略Ｕ字形のばねとを備えたクリップをハンガー本体に少なくとも２個設けた被服用ハンガーであって、各クリップ片は、上方にクリップ片を操作する操作部と、中間にばねの端部と係合する係合部と、下方に被服を挟持する挟持部と、両側縁に枢支軸に当接して挟持部を開閉させる当接片とを備えており、係合部にばねの端部を係合させてばねの弾性力により一対のクリップ片の挟持部同士が押圧付勢するようしたクリップをハンガー本体に設けた被服用ハンガーにおいて、ハンガー本体はアームの左右方向中間に吊持用フックを設けるとともに、アームの左右上方にアームと平行でアームと間隙を持つ係止棹をその一端をアームに一体に固定して形成し、各クリップ片の内面に係止棹と係合する係止部を形成して、クリップをハンガー本体のアーム及び係止棹に支持させた被服用ハンガーであるから、被服の重量をハンガー本体のアーム及び係止棹で受けることができ、アーム及び係止棹から構成したハンガー本体の折損を防止して丈夫なハンガー本体とすることができる。
また、仮にばねが折損した場合でも、クリップ片が係止部で係止棹に係合しているからクリップ片及びばねが周囲に飛散することを防止して安全性の高い被服用ハンガーとすることができる。
【００１９】
請求項２に係る本発明は、請求項１に係る本発明の構成に加え、各クリップ片は、両側縁に枢支軸としての係止棹の周面に当接してクリップ片の挟持部を開閉させる当接片をばねとの間に隙間を設けた状態で、形成するとともに、バネと当接片との間の左右いずれか一方の隙間に係止棹と係合する係止部を形成して、クリップをハンガー本体のアーム及び係止棹に支持させた被服用ハンガーであるから、請求項１に係る本発明の効果と同様な効果を奏することができる。
【００２０】
請求項３に係る本発明は、請求項１に係る本発明の構成に加え、一対の各クリップ片は両側縁に枢支軸としてのアームの周面に当接してクリップ片の挟持部を開閉させる当接片を形成するとともに、垂直中心から外れた内面に係止棹と係合する係止部を形成して、クリップをハンガー本体のアーム及び係止棹に支持させた被服用ハンガーであるから、請求項１に係る本発明の効果に加え、被服の重量は主としてハンガー本体のアームで受け、補助的に係止棹で受けることができるので、丈夫なハンガー本体とすることができながら、係止棹はクリップを係止する機能を発揮すればよいので係止棹の構成を簡略化することができる。
【００２１】
請求項４に係る本発明は、請求項１〜３のいずれかに係る本発明の構成に加え、係止棹はクリップの位置がハンガー本体の予め定めた範囲で調節できる水平方向長さとした被服用ハンガーであるから、請求項１〜３のいずれかに係る本発明の効果に加え、被服の大きさに応じてクリップの位置を簡単に調節することができる。
【００２２】
請求項５に係る本発明は、請求項１〜４のいずれかに係る本発明の構成に加え、係止棹はハンガー本体の端部に一体に固定するとともに、ハンガー本体の中心に向けて水平に形成した被服用ハンガーであるから、請求項１〜４のいずれかに係る本発明の効果に加え、クリップをハンガー本体に設ける際に、クリップを係止棹の自由端よりも内側におけるハンガー本体に位置させた後にハンガー本体の端部側に移動させることにより、クリップをハンガー本体のアーム及び係止棹に簡単に支持させることができる。
【発明を実施するための最良の形態】
【００２３】
以下、本発明の実施の形態に係る被服用ハンガーを添付した図面を参照しながら詳細に説明する。
図１〜図５は本発明の第一の実施の形態を示す図面であり、図１は一部を分解し、一部を省略した被服用ハンガー全体の斜視図、図２はクリップ片の正面図、図３は図２の背面図、図４は図２の縦断面図、図５は図１におけるクリップを設けた位置での縦断面図である。
図６は本発明の第一の実施の形態に係る被服用ハンガーに用いるハンガー本体の変形例を示す斜視図、図７は図６の別の変形例を示す斜視図、図８は図４の変形例を示す縦断面図、図９は本発明の第二の実施の形態に係るクリップ位置での被服用ハンガーの縦断面図である。
【００２４】
以下、図１〜図５に基づき、本発明の第一の実施の形態に係る被服用ハンガーについて説明する。
１は被服用ハンガーであり、被服用ハンガー１は合成樹脂製のハンガー本体１１と２個のクリップ２とから構成している。
【００２５】
ハンガー本体１１は、水平に延びるアーム１２と、アーム１２の左右方向中間に立設した吊持用フック１３と、アーム１２の左右上方にアーム１２と平行でアーム１２と間隙を持つ２個の係止棹１４とを備えており、各係止棹１４は一端をアーム１２の端部に一体に固定するとともに、アーム１２の中心に向けて水平に形成している。
各係止棹１４の水平方向長さはクリップ２の位置がハンガー本体１１における予め定められた範囲で左右に移動して調節できるように、所定の寸法としており、各係止棹１４の端部にクリップ２の抜け止め部１５を設けている。
【００２６】
各クリップ２は一対の合成樹脂製のクリップ片２１と合成樹脂製の略Ｕ字形のばね２２とを備えている。
各クリップ片２１は、上方にクリップ片２１を押圧操作する操作部２３と、中間にばね２２の端部２４と係合する係合部２５と、下方に被服を挟持する挟持部２６と、両側縁に枢支軸としての係止棹１４の周面に当接してクリップ片２１の挟持部２６を開閉する当接片２７とを備えている。
【００２７】
さらに、各クリップ片２１は、当接片２７とばね２２との間に隙間を設けた状態になるように、当接片２７及び係合部２５を形成するとともに、ばね２２と当接片２７との間の一方の隙間に係止棹１４と係合する孔２８を備えた係止部２９を形成している。
各クリップ２は、係止棹１４の周面に同一形状の一対のクリップ片２１の当接片２７を当接させ、係合部２５にばね２２の端部２４を係合させてばね２２の弾性力により一対のクリップ片２１の挟持部２６同士が押圧付勢するようにするとともに、クリップ２をハンガー本体１１に設けた状態で各クリップ片２１の当接片２７の底部３０がアーム１２の上面で支持されるようにして、挟持部２６で挟持した被服の重量を主としてアーム１２で支持するようにしている。
【００２８】
そして、図５に示すように、係止棹１４はクリップ片２１の係止部２９の孔２８を貫通するようにしており、仮に合成樹脂製のばね２２が折損した場合でも、クリップ片２１が係止部２９で係止棹１４に係合しているからクリップ片２１及びばね２２が周囲に飛散することを防止している。
なお、各クリップ片２１は、係止部２５を金型で成形する際の金型摺動用の窓孔３１と、左右の窓孔３１間に設けたばね２２の破片の飛散防止部３２と、クリップ片２１を開閉する際の逃し孔３３と、係止部２９を金型で成形する際の金型摺動用の窓孔３４とを設けている。
【００２９】
以上のように構成された被服用ハンガー１は、ハンガー本体１１、クリップ片２１及びばね２２が全て合成樹脂製であるから、被服を左右のクリップ２に挟持させた状態で検針用の金属探知機で検査することができるのである。
被服用ハンガー１を使用するとき、仮に合成樹脂製のばね１４が折り返し部分などで折損した場合、折れたばね１４の衝撃でクリップ片２１及びばね１４の破片が飛散することを係止部２９及び係止棹１４により、防止するようにしているのである。
【００３０】
以上の第一の実施の形態では、図１に示すように、各係止棹１４は一端をアーム１２の端部に一体に固定するとともに、アーム１２の中心に向けて水平に形成することにより、クリップ２をハンガー本体１１に組み付ける際に、クリップ２を係止棹１４の自由端となる抜け止め部１５よりも内側におけるハンガー本体１１に位置させた後にハンガー本体１１のアーム１２に沿わせて端部側に移動させることにより、クリップ２をハンガー本体１１のアーム１２及び係止棹１４に簡単に支持させることができる。この際、ばね２２の端部２４を適宜の冶具により押し開くことにより、クリップ２をハンガー本体１１に簡単に組み付けることができるようにしたが、ハンガー本体１１を図６に示すように構成してもよい。
図６は、ハンガー本体１１の変形例を示し、係止棹１４の一端をアーム１２の内側に一体に固定するとともに、自由端となる抜け止め部１５がアーム１２の端部上方に位置するように水平に形成している。
【００３１】
また、図７は、ハンガー本体１１の別の変形例を示し、係止棹１４の一端をアーム１２における台形状膨出部に一体に固定するとともに、自由端となる抜け止め部１５がアーム１２の端部上方に位置するように水平に形成している。
さらに、図８は、クリップ片２１の変形例を示すクリップ片の縦断面図であり、図４の実施の形態から変形した点は、ハンガー本体１１の係止棹１４と係合する孔２８を備えた係止部２９に変えて、ハンガー本体１１の係止棹１４と係合する鉤状部３５を備えた係止部２９としたことであり、これ以外の点は上記の第一の実施の形態と同じである。
【００３２】
また、以上の第一の実施の形態では、クリップ２をハンガー本体１１に設けた状態で各クリップ片２１の当接片２７の底部３０がアーム１２の上面で支持されるようにして、挟持部２６で挟持した被服の重量を主としてアーム１２で支持するようにしたが、各クリップ片２１又はアーム１２に適宜の部材を設けることにより、挟持部２６で挟持した被服の重量を主としてアーム１２で支持するようにしてもよい。
さらに、以上の第一の実施の形態では、各係止棹１４の水平方向長さはクリップ２の位置がハンガー本体１１における予め定められた範囲で左右に移動して調節できるように、所定の寸法としたが、各係止棹１４の水平方向長さをクリップ２を支持できる長さとして、クリップ２をハンガー本体１１において所定の位置に固定するようにしてもよい。
【００３３】
以上の第一の実施の形態では、ハンガー本体１１にクリップ２を２個設けたが、アーム１２の左右にクリップ２をそれぞれ２個一組として合計４個用いてもよく、さらに多くのクリップ２を用いてもよい。
【００３４】
次に、本発明の第二の実施の形態に係る被服用ハンガーを図９に基づき説明する。
図９はクリップを設けた位置での被服用ハンガーの縦断面図であり、第一の実施の形態における図５に対応する図面である。
【００３５】
第二の実施の形態は、各クリップ片における係止部及び当接片の配設位置及びハンガー本体における係止棹の形状及び配設位置が、上記の第一の実施の形態と相違する。
以下、第一の実施の形態と相違する点について詳細に説明し、第一の実施の形態と同じ点については説明を省略する。
【００３６】
図９において、クリップ片２１は、両側縁に枢支軸としてのアーム１２の周面に当接してクリップ片２１の挟持部２６を開閉させる当接片２７を形成している。
また、クリップ片２１は、垂直中心から外れた内面に係止棹１４と係合する孔２８を備えた係止部２９を形成している。
【００３７】
クリップ片２１における係止部２９の形成位置は、図９に示すようにばね２２の上方としている。
係止部２９の配設位置をばね２２の上方としているため、ばね２２と当接片２７との間に係止部２９を配設するための隙間を設けていない。
【００３８】
また、ハンガー本体１１に設ける係止棹１４は、第一の実施の形態では、ばね２２のＵ字形の内側に位置していたが、この第二の実施の形態では、ばね２２の上方位置に配設するのである。
係止棹１４の軸の大きさは、第一の実施の形態のものより小さくしており、係止部２９の孔２８と隙間をもって貫通している。
【００３９】
以上の第二の実施の形態においても、第一の実施の形態で説明した図６及び図７に示すハンガー本体１１の変形例、図８に示すクリップ片２１の変形例における技術的思想を適用できるのは勿論である。
また、第二の実施の形態では、ばね２２と当接片２７との間に係止部２９を配設するための隙間を設けていないが、ばね２２と当接片２７との間の左右いずれか一方の隙間に係止部２９を配設してもよい。この場合、係止棹１４の上下方向位置を係止棹１４がばね２２に接触しない位置まで、図９よりもやや下方とすることができる。
【図面の簡単な説明】
【００４０】
【図１】本発明の第一の実施の形態に係る被服用ハンガー全体を示す一部を分解し,一部を省略した斜視図。
【図２】本発明の第一の実施の形態に係る被服用ハンガーに用いるクリップ片の正面図。
【図３】図２の背面図。
【図４】図２の縦断面図。
【図５】図１におけるクリップを設けた位置での縦断面図。
【図６】本発明の第一の実施の形態に係る被服用ハンガーに用いるハンガー本体の変形例を示す斜視図。
【図７】図６の別の変形例を示す斜視図。
【図８】図４の変形例を示す縦断面図。
【図９】本発明の第二の実施の形態に係るクリップ位置での被服用ハンガーの縦断面図。
【図１０】従来の被服用ハンガーを示す正面図。
【図１１】図１０の被服用ハンガーに用いられるクリップ片の正面図。
【図１２】図１０のクリップを設けた位置での縦断面図。
【符号の説明】
【００４１】
１    被服用ハンガー
１１  ハンガー本体
１２  アーム
１３  吊持用フック
１４  係止棹
２    クリップ
２１  クリップ片
２２  ばね
２３  操作部
２４  端部
２５  係合部
２６  挟持部
２７  当接片
２９  係止部
【図１】
0004769776.tif 000002
【図２】
0004769776.tif 000003
【図３】
0004769776.tif 000004
【図４】
0004769776.tif 000005
【図５】
0004769776.tif 000006
【図６】
0004769776.tif 000007
【図７】
0004769776.tif 000008
【図８】
0004769776.tif 000009
【図９】
0004769776.tif 000010
【図１０】
0004769776.tif 000011
【図１１】
0004769776.tif 000012
【図１２】
0004769776.tif 000013